(57)【要約】      （修正有）【課題】花粉、各種病原菌および工場や工事現場の粉麈等の侵入を完全に阻止し、かつ眼鏡が曇らないようにしたマスクを提供する。【解決手段】マスクの上辺に沿って幅２５ミリメートルの空気を通さないビニール等２をマスク本体の生地１に挟むか貼り付けて、着用者の口と鼻から吐き出されて上昇する温かい空気を遮断して分散させて眼鏡を曇らないようにする。また、化粧パックに使用する粘着剤またはゲル剤等３をマスクの外形四辺に幅約５ミリメートル、厚さ約０．３ミリメートルにして塗り付け、凹凸する顔の肌に密着させて、花粉や各種病原菌および工場や工事現場の粉塵の浸入を完全に防ぐ構造にして使い捨てマスクを形成する。【選択図】図１
0003169759.tif 000002
【実用新案登録請求の範囲】
【請求項１】
本考案は、マスクの本体に装着者が呼吸する空気は通すが、微粒子は通さない機能をもつ不織布を使用する使い捨てマスクであるが、花粉や感冒等の病原菌や工場または工事現場で舞い上がる粉塵等の侵入を防ぐ一方で、熱帯地方等を除くと、通常は外気よりも温度が高く眼鏡を曇らせる原因となるマスク装着者が吐き出す呼吸気を、マスクの上辺で止めて分散させ、眼鏡を曇らせないようにして、マスクの外辺全体を顔の皮膚に密着させて花粉等の侵入を完全に阻止する点で他の製品とは全く異なっており、マスクは横約１７０ミリメートル、縦１００ミリメートルの長方形、又は鼻が当る中央部分を高くした立体形でもよく、マスク着用者の口や鼻から上昇する呼吸気が、マスクの上辺から洩れて眼鏡を曇らせないようにするために、マスクの上辺に沿って縦幅約２５ミリメートルの空気を通さないビニール等をマスク本体の生地に挟むか貼り付け、鼻と口から吐き出されて上昇する空気を遮断して分散させ、化粧パックにも使用されている人体に安全な粘着剤又はゲル剤等をマスクの外形を囲む四辺に、幅約５ミリメートル、厚さ約０．３ミリメートルにして塗り付け、凹凸する顔の肌に密着させて花粉や各種病原菌および工場や工事現場から出る粉塵の侵入を防ぐ構造にし、またトンネル火災等の災害現場においても本簡易マスクを水道水や飲料水などに浸して使用すると、マスクの四辺が密閉されているために一時的に有毒ガス等の呼吸器官への侵入を防ぎ、危険な事故現場から脱出する際にも有効性を発揮するので、日常的に使用する衣服や作業着のポケットまたは自動車のダッシュボード等に常備しておくと、予期しない不意打ちの災難にも役立つという点でも優れており、また本マスクの耐用期間は毎日の掛け捨てが原則であるが、マスク本体、耳掛け紐ともに１０日間以上の使用に耐える良質のものを使用することによって本考案マスクの有効性は確実に発揮され、一般衛生用、手術現場を含む医療用、工場や工事現場での粉塵防止用など広範囲での使用を可能にするものである。
【考案の詳細な説明】
【技術分野】
【０００１】本考案は、感冒等病原菌や花粉や粉塵等の浸入を防ぎ、かつ眼鏡を曇らせない使い捨てマスクに関するものである。
【背景技術】
【０００２】花粉や粉塵・各種病原菌等が口や鼻から浸入するのを防ぐマスクとして、上部に針金を入れたマスクがあるが、マスクと顔や鼻との隙間から空気が漏れて効果は予想以上に悪く、またマスクの上辺の内側にスポンジを立てるマスクは、鼻の低い部分にわざわざ入れた切り込みから空気が出入りするために、花粉や粉塵や各種病原菌の侵入を防げず、意図と逆の結果になっている。またマスクの上辺に沿って空気を通さない布等を張り、針金で押える構造のマスクも、横と下部が隙間だらけで上部も完全ではなく９９パーセント防ぐと言う宣伝程の効果はない。
【考案の開示】
【考案が解決しようとする課題】
【０００３】化粧パックにも使用されている人体に安全な粘着剤またはゲル剤を、マスク裏側の四辺に塗り付けて鼻や顔の皮膚に密着させ、空気の出入りは不織布等の主要材料を通す一方で、花粉や粉塵や各種病原菌等の浸入を防止し、かつマスク着用者の上昇する呼吸気を止めて分散させ、マスク着用者自身が掛けている眼鏡を曇らないようにする。
【課題を解決するための手段】
【０００４】本考案のマスクは横約１７０ミリメートル、縦約１００ミリメートルの長方形、又は鼻の当たる部分を高くした立体形でもよく、マスク着用者が口や鼻から出す呼吸気が、マスクの上辺から洩れて眼鏡を曇らせないように、マスクの上辺に沿って縦幅約２５ミリメートルの空気を通さないビニール等をマスク本体の生地に挟むか貼り付け、鼻と口から吐き出される空気を遮断して分散させ、マスク着用者の眼鏡が曇らないようにし、顔の化粧パックにも使用されている人体に安全な粘着剤またはゲル剤等をマスク裏側の外形を囲む四辺に、それぞれ幅約５ミリメートル厚さ約０．３ミリメートルにして塗り付け、凹凸する顔の肌に密着させて、花粉や各種病原菌および工場や工事現場から出る粉塵の浸入を防ぐ構造にする。
【考案の効果】
【０００５】マスクの四辺は、顔の化粧パック等に使用する粘着剤またはゲル剤によって空気の出入りが完全に阻止され、空気を通すのは不織布等の主要材料のみで、花粉や粉塵や各種病原菌の侵入は完全に防がれ、マスクの上辺は空気の通り道を押えて分散させる構造になっているので眼鏡が曇らなくなる。
【考案を実施するための最良の形態】
【０００６】１．マスクの本体に使用する材料は、マスク着用者が呼吸する空気は通すが、花粉や病原菌、工場や工事現場の粉塵等は通さない不織布を使用し、横約１７０ミリメートル、縦約１００ミリメートルの長方形、又は鼻が当る中央部分を高くした立体形にする。
２．マスク着用者の呼吸が集中して上昇する空気が、マスクの上辺から洩れて眼鏡を曇らせないように、マスクの上辺に沿って幅約２５ミリメートルの空気を通さないビニール等をマスク本体の生地に挟むか貼り付け、鼻と口から吐き出されて上昇する空気を遮断して分散させ、マスク着用者の眼鏡を曇らせない構造にする。
３．顔の化粧パックにも使用されている人体に安全な粘着剤またはゲル剤等をマスクの外形を囲む四辺に、それぞれ幅約５ミリメートル、厚さ約０．３ミリメートルにして塗り付け、凹凸する顔の肌に密着させて、花粉や各種病原菌および工場や工事現場から出る粉塵の浸入を防ぐ構造にする。
４．本マスクの耐用期間は毎日の掛け捨てを原則とするが、マスク本体、耳掛け紐ともに１０日間以上の使用に耐える良質のものを使用する。
【実施例】
【０００７】以下、添付図面に従って実施例を説明する。
【図面の簡単な説明】
【０００８】
【図１】本考案のマスクを裏側から見た平面図である。
【符号の説明】
【０００９】１．マスク本体の不織布。
２．マスク着用者が吐いた空気の上昇を止めて分散させる幅約２５ミリメートルのビニール等。
３．マスクの四辺に塗り付けた化粧パック用粘着剤またはゲル剤等。
４．耳掛け紐。
【図１】
0003169759.tif 000003
【手続補正書】
【提出日】平成23年6月1日(2011.6.1)
【手続補正１】
【補正対象書類名】実用新案登録請求の範囲
【補正対象項目名】全文
【補正方法】変更
【補正の内容】
【実用新案登録請求の範囲】
【請求項１】
マスク装着者が呼吸する空気は通すが、微粒子は通さない不織布を使用する使い捨てマスクで、花粉や感冒等の病原菌や工場または工事現場で舞い上がる粉塵等の侵入を防ぐ一方で、熱帯地方等を除くと、通常は外気よりも温度が高く眼鏡を曇らせる原因となるマスク装着者が吐き出す呼吸気をマスクの上辺で止め、左右に分散させて眼鏡を曇らせないようにするために、空気を通さない縦幅２５ミリメートル以上のビニール等をマスクの上辺に挟み込むか貼り付け、マスクの本体は横約１７０ミリメートル、縦１００ミリメートルの長方形、又は鼻が当る中央部分を高くした立体形にし、化粧パックにも使用されている人体に安全な粘着剤又はゲル剤をマスクの外形を囲む四辺に、幅約５ミリメートル、厚さ約０．３ミリメートルにして塗り付けた構造にし、凹凸する顔の肌に密着させて花粉や各種病原菌および工場や工事現場から出る粉塵の侵入を防ぎ、またトンネル火災等の災害現場においても本簡易マスクを水道水や飲料水などに浸して使用すると、マスクの四辺が密閉されているために一時的に有毒ガス等の呼吸器官への侵入を防ぎ、危険な事故現場から脱出する際にも有効性を発揮するので、日常的に使用する衣服や作業着のポケットまたは自動車のダッシュボード等に常備しておくと、予期しない不意打ちの災難にも役立つという点でも優れており、また本マスクの耐用期間は毎日の掛け捨てが原則であるが、マスク本体、耳掛け紐ともに１０日間以上の使用に耐える良質のものを使用することによってマスクの有効性は確実に発揮され、一般衛生用、手術現場を含む医療用、工場や工事現場での粉塵防止用など広範囲で使用できるマスク。